【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
医療用物質をユーザに送達するためのスペーサであって、前記スペーサは、
−  チャンバを含み、前記チャンバは、
−  第１および第２の貯蔵部と、
−  前記医療用物質を前記第１の貯蔵部の中に入れるためのインレットと、
−  前記第２の貯蔵部からの前記医療用物質の引き出しのためのアウトレットと、
−  前記第２の貯蔵部からの空気の除去のためのベントとを含み、前記スペーサはさらに、
−  少なくとも部分的に前記チャンバ内に配置される一体のバルブを含み、前記バルブは、
−  前記チャンバの部分によって保持される保持部分と、
−  静止時にドーム状構造を形成する、前記保持部分によって固定されるとともに前記保持部分の近接部から上方向に延在する中心の第１のフロー制御部分とを含み、前記ドーム状構造はユーザによる呼気の際にその静止状態を超えて潰れることに対して本質的に抵抗するよう自己支持しており、前記ドーム状構造はその頂点に近接して中心のクロススリットを規定しており、前記第１のフロー制御部分は、ユーザの吸気の間に開くことにより、前記第１の貯蔵部から前記第２の貯蔵部までの前記医療用物質の順方向のフローを可能にするよう適合されるとともに、ユーザの呼気の間に閉じることにより、前記第２の貯蔵部から前記第１の貯蔵部への前記医療用物質の逆流を実質的に制限するよう適合されており、前記バルブはさらに、
−  前記第１のフロー制御部分を取り囲むとともに前記保持部分によって固定される第２のフロー制御部分を含み、前記第２のフロー制御部分は、ユーザの吸気の間に閉じることにより、前記ベントを通じて前記第２の貯蔵部の中に空気が流入するのを実質的に制限するよう適合されるとともに、呼気の間に開くことにより、前記第２の貯蔵部から前記ベントを通じて空気の除去を可能にするよう適合されている、スペーサ。
【請求項２】
前記第２のフロー制御部分は平坦なリング形状を形成する、請求項１に記載のスペーサ。
【請求項３】
前記第１のフロー制御部分は、ユーザの吸気の間に開くようにフラップするとともにユーザの呼気の間に閉じるようにフラップするよう適合される４つの物質フラップ部材を含み、前記第２のフロー制御部分は、ユーザの呼気の間に開くようにフラップするよう適合されるとともにユーザの吸気の間に閉じるようにフラップするよう適合される空気フラップ部材を含む、請求項１または２に記載のスペーサ。
【請求項４】
前記４つの物質フラップ部材は、一緒に前記クロススリットを形成する自由縁部を有するそれぞれの四分円部分を含む、請求項３に記載のスペーサ。
【請求項５】
前記空気フラップ部材は、円周方向の自由縁部を有する、請求項３または４に記載のスペーサ。
【請求項６】
前記チャンバは、
−  前記バルブとともに前記第１の貯蔵部を実質的に規定する第１のチャンバ部分を含み、前記第１のチャンバ部分は管状部材を含み、前記チャンバはさらに、
−  前記バルブとともに前記第２の貯蔵部を実質的に規定する第２のチャンバ部分を含み、前記第２のチャンバ部分は、前記ベントを規定するベント部材と、前記ベント部材に取り付けられるかまたは前記ベント部材と連続するマウスピースとを含む、請求項１から５のいずれか１項に記載のスペーサ。
【請求項７】
前記バルブは、前記管状部材と前記ベント部材との間に固定的に挟まれる、請求項６に記載のスペーサ。
【請求項８】
前記ベント部材は、
−  中心チャンバアパーチャと、
−  前記中心アパーチャを取り囲むととともに前記ベントの部分またはすべてを形成する、半径方向に配置されたアパーチャの連なりとを含む、請求項６または７に記載のスペーサ。
【請求項９】
前記インレットは、さまざまな形状およびサイズの医療用物質送達装置に適合可能であるとともに前記医療用物質送達装置をぴったりと受け入れることが可能であるアパーチャを有する柔軟部分を含む、請求項１から８のいずれか１項に記載のスペーサ。
【請求項１０】
前記インレットは、前記チャンバの他の部分から取り外し可能な前記チャンバのベースの部分を形成する、請求項１から９のいずれか１項に記載のスペーサ。
【請求項１１】
ユーザの吸気またはユーザの呼気は、機械によって補助または強制されている、請求項１から１０のいずれか１項に記載のスペーサ。
【請求項１２】
前記アウトレットは、前記ユーザの口の中または口の周りに配置され得る装置との接続のために適合される、請求項１から１１のいずれか１項に記載のスペーサ。
【請求項１３】
前記第１のフロー制御部分は、１°と２０°との間だけ上方向および内側方向に角度付けされる、請求項１から１２のいずれか１項に記載のスペーサ。
【請求項１４】
前記ドーム状構造は、前記クロススリットの隣接する部分同士の間に形成される谷部を含む、請求項１から１３のいずれか１項に記載のスペーサ。
【請求項１５】
−  前記ドーム状構造は、前記保持部分から上方向に４つの冠の頂点へと延在する周辺壁を含み、
−  前記クロススリットは、前記４つの冠の頂点の間にわたり、
−  前記クロススリットの隣接する部分と冠の頂点との間で窪む４つの谷部が存在する、請求項１４に記載のスペーサ。
【請求項１６】
医療用物質をユーザに送達するためのスペーサチャンバとの使用のための一体のバルブであって、前記スペーサチャンバは、第１および第２の貯蔵部と、前記医療用物質を前記第１の貯蔵部の中に入れるためのインレットと、前記第２の貯蔵部からの前記医療用物質の引き出しのためのアウトレットと、前記第２の貯蔵部からの空気の除去のためのベントとを含み、前記バルブは、
−  前記チャンバの部分によって保持されるよう適合される保持部分と、
−  静止時にドーム状構造を形成する、前記保持部分によって固定されるよう適合されるとともに前記保持部分の近接部から上方向に延在する中心の第１のフロー制御部分とを含み、前記ドーム状構造はユーザによる呼気の際にその静止状態を超えて潰れることに対して本質的に抵抗するよう自己支持しており、前記ドーム状構造はその頂点に近接して中心のクロススリットを規定しており、前記第１のフロー制御部分は、ユーザの吸気の間に開くことにより、前記第１の貯蔵部から前記第２の貯蔵部までの前記医療用物質の順方向のフローを可能にするよう適合されるとともに、ユーザの呼気の間に閉じることにより、前記第２の貯蔵部から前記第１の貯蔵部への前記医療用物質の逆流を実質的に制限するよう適合されており、前記バルブはさらに、
−  前記第１のフロー制御部分を取り囲むとともに前記保持部分によって固定されるよう適合される第２のフロー制御部分を含み、前記第２のフロー制御部分は、ユーザの吸気の間に閉じることにより、前記ベントを通じて前記第２の貯蔵部の中に空気が流入するのを実質的に制限するよう適合されるとともに、呼気の間に開くことにより、前記第２の貯蔵部から前記ベントを通じて空気の除去を可能にするよう適合されている、バルブ。
【請求項１７】
前記ドーム状構造は、前記クロススリットの隣接する部分同士の間に形成される谷部を含む、請求項１６に記載のバルブ。
【請求項１８】
−  前記ドーム状構造は、前記保持部分から上方向に４つの冠の頂点へと延在する周辺壁を含み、
−  前記クロススリットは、前記４つの冠の頂点の間にわたり、
−  前記クロススリットの隣接する部分と冠の頂点との間で窪む４つの谷部が存在する、請求項１７に記載のバルブ。